(57)【特許請求の範囲】
【請求項１】
浴槽内の温水を吸込管を介して吸い込み、その吸い込んだ温水を殺菌槽、浄化槽を通過させることにより殺菌、浄化し、さらには加熱手段にて加熱保温して再度浴槽に吐出管を介して吐出する循環回路を形成した浴槽温水循環装置において、
前記吸込管と吐出管との間に弁体を有する連結管路を設け、前記循環回路上に浴槽を含まない閉回路を形成し、同閉回路内を循環する温水を前記加熱手段にて高温化して閉回路内の熱殺菌を行うと共に、同閉回路内循環系の熱殺菌処理終了後、切換可能な複数の流路を有した前記弁体によって熱水を前記吐出管及び連結管路に分流し、かつ前記弁体の前記連結管路に流出する連通孔の径と、同弁体の前記吐出管に流出する連通孔の径との比率を変化させることで浴槽に吐出される熱水の量を調節するようにした浴槽温水循環装置。
【発明の詳細な説明】
【０００１】
【発明の属する技術分野】
本発明は、浴槽内の温水を吸い上げて不純物を除去した後、その温水を浴槽内に吐出する浴槽温水循環装置に関するものである。
【０００２】
【従来の技術】
従来、浴槽温水循環装置はポンプにより浴槽内の温水を吸い込み、浄化装置にてその温水を浄化している。この浄化装置としては、多孔質な天然石（麦飯石等）を利用した生物化学的浄化手段を備えたものがよく知られているが、近年ではユーザ側の雑菌に対する意識変革により、殺菌機能を強化優先させて生物化学的浄化手段の採用を取りやめる傾向にある。
【０００３】
この結果、ＵＶランプによる常時の紫外線殺菌、活性炭あるいはゼオライト等の吸着剤及び濾過機能強化のための中空糸膜からなる物理濾過層の採用重視に至っている。
【０００４】
【発明が解決しようとする課題】
ところが、温水への殺菌浄化については装置の改良がなされたものの、前記浴槽温水循環装置内の配管系に繁殖する雑菌への対応はなされていなかった。
【０００５】
本発明は前記問題点を解決するために為されたものであって、その第一の目的は、温水及び装置自体の配管系の殺菌処理ができる浴槽温水循環装置を提供することにある。
【０００６】
第二の目的は、殺菌媒体の温水を高温化して熱殺菌することができる浴槽温水循環装置を提供することにある。
第三の目的は、殺菌処理後の熱水を問題なく浴槽へ戻すことができる浴槽温水循環装置を提供することにある。
【０００８】
【課題を解決するための手段】
請求項１に記載の発明は、浴槽内の温水を吸込管を介して吸い込み、その吸い込んだ温水を殺菌槽、浄化槽を通過させることにより殺菌、浄化し、さらには加熱手段にて加熱保温して再度浴槽に吐出管を介して吐出する循環回路を形成した浴槽温水循環装置において、前記吸込管と吐出管との間に弁体を有する連結管路を設け、前記循環回路上に浴槽を含まない閉回路を形成し、同閉回路内を循環する温水を前記加熱手段にて高温化して閉回路内の熱殺菌を行うと共に、同閉回路内循環系の熱殺菌処理終了後、切換可能な複数の流路を有した前記弁体によって熱水を前記吐出管及び連結管路に分流し、かつ前記弁体の前記連結管路に流出する連通孔の径と、同弁体の前記吐出管に流出する連通孔の径との比率を変化させることで浴槽に吐出される熱水の量を調節するようにしたことをその要旨とする。
【００１１】
【発明の実施の形態】
（第一実施形態）
以下、本発明を具体化した第一実施形態を図１に従って説明する。
【００１２】
浴槽温水循環装置１０は浴槽Ｙの上部に配置されている。そして、前記浴槽循環装置１０は、浴槽内の温水Ｗを吸い上げるポンプ１１，  吸い上げられた温水Ｗを加熱又は保温するための保温ヒータを有する加熱手段１２，  温水Ｗに紫外線を照射するＵＶランプを有する殺菌層１３，  温水Ｗに溶解している物質を吸着する吸着剤としての多数の粒状活性炭あるいはゼオライトの少なくとも一種類を収容した浄化槽１４，  温水Ｗに混入している固形物を濾過する中空糸膜を収容した中空糸膜槽１５等を有している。
【００１３】
前記ポンプ１１は浴槽Ｙ内部の逆止弁Ｃ及び吸込管１６を介して接続されている。また、ポンプ１１の上部には加熱手段１２及び殺菌槽１３が第一連結管１７を介して接続されており、同殺菌槽１３には浄化槽１４が第二連結管１８を介して連結されている。前記浄化槽１４は第三連結管１９を介して五方弁２０に接続されている。即ち、前記浄化槽１４は浴槽温水循環装置１０の内部回路に直列に配置されている。
【００１４】
前記五方弁２０は第四連結管２１を介して中空糸膜槽１５の上部に接続されており、同中空糸膜槽１５の下部は第五連結管２２を介して再び五方弁２０に接続されている。前記五方弁２０には浴槽Ｙ内の温水を外部に排水するための排水管２３が接続されていると共に、同五方弁２０は第六連結管２４を介して三方弁２５に接続されている。また、前記三方弁２５は吐出管２６を介して浴槽Ｙに接続されていると共に、バイパス管２７を介して吸込管１６の途中に接続されている。前記吐出管２６の先端は、その開口部が浴槽壁２８に対面し一定間隔を有するように形成されている。
【００１５】
尚、前記五方弁２０及び三方弁２５をはじめとする各種の構成部品間は、図示しないコントローラにより制御されている。
次に、本実施形態における通常の浄化運転時の動作について説明する。
【００１６】
図１に示すように、通常の浄化運転時には、前記五方弁２０内に形成された中空糸膜槽１５をバイパスする経路と、前記三方弁２５により連結された第六連結管２４と吐出管２６との管路とが連結状態となる。ポンプ１１が駆動されると、浴槽Ｙ内の温水Ｗは吸込管１６，  ポンプ１１，  第一連結管１７を介して加熱手段１２及び殺菌槽１３内に圧送される。その後、温水Ｗは第二連結管１８→浄化槽１４→第三連結管１９→五方弁２０→第六連結管２４→三方弁２５→吐出管２６の流路で浴槽Ｙ内に吐出される。
【００１７】
前記加熱手段１２は保温用であり、温水Ｗは同加熱手段１２により適温に加熱される。そして、前記温水Ｗは殺菌槽１３の位置を通過する際に紫外線が照射されることによって殺菌される。紫外線による殺菌は繰り返すことでその効果が向上するため、前記殺菌槽１３は２４時間稼働する。
【００１８】
また、前記温水Ｗが浄化槽１４を通過することによって、同温水Ｗに溶解又は混入している温水Ｗの濁りやヌメリの原因となるアンモニア分，  タンパク質，  脂肪分等の不純物が活性炭あるいはゼオライトに吸着されて浄化される。前記温水Ｗ中の湯垢等の非溶解性の不純物も浄化槽１４において物理的に濾過される。
【００１９】
次に、本実施形態における前記通常の浄化運転以外の各種運転動作について説明する。
まず、精密濾過運転時の動作について説明する。
【００２０】
図２に示すように、精密濾過運転時には、前記コントローラによって五方弁２０が前記通常の浄化運転から切替わる。そして、ポンプ１１が駆動されると、浴槽Ｙ内の温水Ｗは吸込管１６，  ポンプ１１，  第一連結管１７を介して加熱手段１２及び殺菌槽１３内に圧送される。その後、温水Ｗは第二連結管１８→浄化槽１４→第三連結管１９→五方弁２０→第四連結管２１→中空糸膜槽１５→第五連結管２２→五方弁２０→第六連結管２４→三方弁２５→吐出管２６の流路で浴槽Ｙ内に吐出される。
【００２１】
前記温水Ｗは中空糸膜槽１５を通過することによって、浄化槽１４では吸着されない固形物や各種細菌が濾過されて浄化される。尚、前記温水Ｗが中空糸膜槽１５を通過するときの流量は５〜１５  ｌ／ｍｉｎであり流量が少ない。このため、通常、前記中空糸膜槽１５は第四連結管２１及び第五連結管２２によってバイパスされており、前記精密濾過運転は任意に行われる。前記浴槽Ｙを四人家族が使用していると仮定した場合、濾過運転を行う目安としては、一日一回である。
【００２２】
前述のように、中空糸膜槽１５による濾過運転を繰り返すと、同中空糸膜槽１５に収容されている中空糸膜は徐々に目詰まりしていく。そして、前記中空糸膜の目詰まりが進行していくと、同中空糸膜槽１５の濾過性能が低下する。このため、中空糸膜槽１５に収容されている中空糸膜を適当な時期に洗浄する必要がある。本実施形態においては、通常運転時の温水Ｗの循環方向とは逆方向に温水Ｗを循環させて中空糸膜槽１５に収容されている中空糸膜の表面に詰まった汚れを除去する逆洗による洗浄を行う。
【００２３】
次に、中空糸膜槽１５の逆洗運転時の動作について説明する。
図３に示すように、逆洗運転時には前記コントローラによって五方弁２０が前記通常の浄化運転時から切替わる。そして、ポンプ１１が駆動されると、浴槽Ｙ内の温水Ｗは吸込管１６，  ポンプ１１，  第一連結管１７を介して加熱手段１２及び殺菌槽１３内に圧送される。その後、温水Ｗは第二連結管１８→浄化槽１４→第三連結管１９→五方弁２０→第五連結管２２→中空糸膜槽１５→第四連結管２１→五方弁２０→排水管２３の流路で浴槽温水循環装置１０の外部に排水される。前記逆洗運転を行う目安としては、前述の濾過運転と同様である。
【００２４】
次に、熱殺菌運転時の動作について説明する。
前述のように、通常の浄化運転，  精密濾過運転の繰り返しにより、浴槽温水循環装置１０の配管系内面や中空糸膜槽１５内部等に細菌等の微生物の繁殖が開始される。前記微生物は中空糸膜槽１５に収容されている中空糸膜の目詰まりを加速させてしまい、同中空糸膜の寿命を縮める。このため、前記浴槽温水循環装置１０の配管系の内面等を殺菌し微生物の発生を防止する必要がある。本実施形態においては熱水を前記配管系に循環させることによって微生物を殺菌する。
【００２５】
図４に示すように、熱殺菌運転時には前記コントローラによって五方弁２０及び三方弁２５が閉回路Ｈを構成するように切替わり、同閉回路Ｈ内には温水Ｗが閉じこめられる。そして、ポンプ１１が駆動されると、前記温水Ｗはバイパス管２７→ポンプ１１→第一連結管１７→加熱手段１２→殺菌槽１３→第二連結管１８→浄化槽１４→第三連結管１９→五方弁２０→第四連結管２１→中空糸膜槽１５→第五連結管２２→五方弁２０→第六連結管２４→三方弁２５→バイパス管２７の流路で浴槽Ｙを除く閉回路Ｈ内を循環する。本実施形態においては、前記閉回路Ｈ内を循環する温水Ｗの量は約４  ｌとなっている。
【００２６】
前記温水Ｗは加熱手段１２を通過するとによってその温度が７０度まで高められる。そして、前記温水Ｗが閉回路Ｈを循環することによって、同閉回路Ｈの配管内面や中空糸膜槽１５に繁殖又は捕捉されている細菌類を殺菌する。前記、温水Ｗは高温のため外部には排水されず浴槽に吐出される。この際、前記温水Ｗの吐出量は三方弁２５によって調整され、浴槽Ｙに徐々に吐出されるようになっている。
【００２７】
次に、前記三方弁２５の構成及び作用について説明する。
図７〜図９に示すように、前記三方弁２５において、第六連結管２４が連結されている部分をポートａ、吐出管２６が連結されている部分をポートｂ、バイパス管２７が連結されている部分をポートｃとする。
【００２８】
前記三方弁２５の内部には球状の弁体部２９が設けられ、同弁体部２９の内部にはＬ字状の第一連通孔３０が形成されていると共に、同第一連通孔３０に対して垂直に第二連通孔３１が形成されている。そして、前記弁体部２９は図示しないコントローラによって制御駆動され回転軸Ｓ−Ｓを中心に回転し、ポートａとポートｂ、ポートａとポートｃ、ポートａとポートｂ及びポートｃの三つのパターンで各ポートａ，  ｂ，  ｃをそれぞれ連通するようになっている。
【００２９】
図１，  図２及び図７に示すように、通常運転時において、三方弁２５はコントローラによって、ポートａとポートｂとが第一連通孔３０を介して連通するように駆動される。すると、温水Ｗは、浴槽Ｙ−ポンプ１１−加熱手段１２−殺菌槽１３−浄化槽１４−五方弁２０−三方弁２５−浴槽Ｙの流路で循環吐出する。また、精密濾過運転時においては、三方弁２５の連通方向は前記通常運転時と同様であり、温水Ｗは、浴槽Ｙ−ポンプ１１−加熱手段１２−殺菌槽１３−浄化槽１４−五方弁２０−中空糸膜槽１５−五方弁２０−三方弁２５−浴槽Ｙの流路で循環吐出する。
【００３０】
次に、図４及び図８に示すように、熱殺菌運転時においては、三方弁２５はコントローラによって、ポートａとポートｃとが第一連通孔３０を介して連通するように駆動され、浴槽を含まない閉回路Ｈが形成される。そして、温水Ｗはポンプ１１−加熱手段１２−殺菌槽１３−浄化槽１４−五方弁２０−中空糸膜槽１５−五方弁２０−三方弁２５−ポンプ１１の流路で循環する。前記温水Ｗは循環しながら加熱手段１２を通過することによってその温度が７０度近傍まで高められ、配管内面や中空糸膜１６に繁殖又は捕捉されている細菌類を殺菌する。
【００３１】
次に、図４及び図９に示すように、熱殺菌運転終了後においては、三方弁２５はコントローラによって、ポートａとポートｂ及びポートａとポートｃの両ポートが連通するように駆動される。すると、ポートａから流入する温水Ｗはポートｂ及びポートｃの二方向に分かれてそれぞれ吐出管２６及びバイパス管２７に流出する。このため、吐出管２６から浴槽Ｙに吐出される温水Ｗの流量は、前記通常運転時及び精密濾過運転時に比べて少量となり、浴槽Ｙに大量に流出することはない。また、図９に示す第二連通孔３１の径Ａ，  Ｂの比率Ａ：Ｂを変化させることで浴槽Ｙへ流出する熱水の流量を調節することができる。
【００３２】
従って、本実施形態によれば以下の効果を得ることができる。
・吸込管１６と吐出管２６とを連結するのみにて、浴槽温水循環装置１０内に容易に閉回路Ｈが形成でき、また、浴槽Ｙ吸い込んだ温水Ｗをそのまま前記閉回路Ｈ循環水に利用でき、この温水Ｗを媒体として殺菌効果を持たせることにより、他の媒体を必要とせずに閉回路Ｈの隅々まで殺菌作用を行き渡らせて、繁殖又は捕獲した細菌類を確実に殺菌できる。
【００３３】
・浴槽温水循環装置１０には五方弁２０及び三方弁２５が用いられており、同装置１０に使用する配管及び弁の数量が最小限で済む。また、熱殺菌運転は閉回路Ｈを形成し、その内部に封入されている温水Ｗを加熱循環させることによって行うため、加熱する温水Ｗの量は少量となる。このため、従来の温水タンクやその内部に貯留されている温水を加熱するための加熱手段を設ける必要がなく、保温用の加熱手段１２によって所定温度まで十分に加熱することができる。従って、浴槽温水循環装置１０の構造を簡単にすることができ、設備コストを低減することができる。
【００３４】
・通常運転時には、中空糸膜槽１５は第四連結管２１と第五連結管２２とによってバイパスされ、温水Ｗが通水されないようになっている。即ち、前記中空糸膜槽１５に通水する時間を限られた時間にしている。このため、前記中空糸膜槽１５に収容されている中空糸膜の目詰まりを軽減することができる。
【００３５】
・浴槽温水循環装置１０には活性炭又はゼオライトを収容した浄化槽１４が設けられている。このため、温水Ｗが前記浄化槽１４を通過する際、同温水中に溶解された温水Ｗの濁りやヌメリの原因となる有機物が活性炭又はゼオライトに吸着処理される。
【００３６】
・殺菌処理後、熱水となった温水Ｗを浴槽Ｙに戻す場合、同温水Ｗがポートａからポートｂ及びポートａからポートｃのように二方向に分流するように構成した。このため、吐出管２６から吐出される温水Ｗを少量ずつ浴槽Ｙに戻すことができ、浴槽Ｙに大量の温水Ｗが吐出することがない。また、吐出管２６の先端を浴槽壁２８に対面し一定間隔を有するように形成した。このため、熱水となった温水Ｗが入浴者に直接触れることを極力防止することができる。従って、入浴者の熱水となった温水Ｗによる火傷の防止をすることができる。
【００３７】
・熱殺菌運転終了時に、中空糸膜槽１５をバイパスして通常運転を再開し、同中空糸膜槽１５内には常に無菌状態の温水Ｗが封入されている。このため、中空糸膜槽１５内部は無菌状態に保持され、雑菌の侵入を防止すると共に雑菌の繁殖を低減させることができる。従って、中空糸膜槽１５に収容されている中空糸膜の製品寿命を長くすることができる。
【００３８】
・熱殺菌終了後、通常運転に戻す前に中空糸膜槽１５がバイパスされ、同中空糸膜槽１５内には常に無菌状態の温水Ｗが封入される。そして、前記中空糸膜槽１５は徐々に常温に冷やされるため、同中空糸膜槽１５に収容されている中空糸膜の束を固定している樹脂にストレスが加わることがなく、劣化を低減することができる。従って、中空糸膜槽１５に収容されている中空糸膜の製品寿命を長くすることができる。
（第二実施形態）
次に、本発明を具体化した第二実施形態を図面に従って説明する。尚、本実施形態において、図１〜図４に示した前記第一実施形態と同じ構成部材については符号を等しくしてその詳細な説明を省略する。
【００３９】
図５及び図６に示すように、本実施形態は、ポンプ１１と加熱手段１２とを連結している第一連結管１７に薬剤注入装置５０が薬剤供給管５１を介して接続されており、浴槽温水循環装置１０の配管系内壁の殺菌処理を熱殺菌によらず殺菌剤を配管系に注入して殺菌する点において前記第一実施形態と異なる。前記薬剤供給装置５０内には殺菌剤としての次亜塩素酸ナトリウムが貯留されており、同次亜塩素酸ナトリウムは有効塩素濃度５重量％以上のものが使用されている。
【００４０】
図５に示すように、薬剤殺菌運転時には図示しないコントローラによって前記第一実施形態の熱殺菌運転時と同様に閉回路Ｈが形成される。そして、前記薬剤注入装置５０から所定量の次亜塩素酸ナトリウムが薬剤供給管５１を介して閉回路Ｈの配管系に注入される。
【００４１】
前記次亜塩素酸ナトリウムは配管系を循環する温水Ｗに溶解して殺菌剤溶液となり、同殺菌剤溶液がポンプ１１により閉回路Ｈ内を加熱手段１２→殺菌槽１３→第二連結管１８→浄化槽１４→第三連結管１９→五方弁２０→第四連結管２１→中空糸膜槽１５→第五連結管２２→五方弁２０→第六連結管２４→三方弁２５→バイパス管２７→ポンプ１１→第一連結管１７→加熱手段１２の流路で循環することによって閉回路Ｈの配管内面や中空糸膜槽１５に繁殖又は捕捉されている細菌類を殺菌する。
【００４２】
尚、本実施形態においては、前記殺菌剤溶液中の塩素濃度が０．１〜１．０ｐｐｍとなるように、温水Ｗに対する次亜塩素酸ナトリウムの注入量を設定している。ちなみに、閉回路Ｈ内を循環する温水Ｗの量は約４ｌであり、本実施形態においては、温水Ｗ４ｌに対し、次亜塩素酸ナトリウムの注入量を０．０８ｃｃとしたことにより、閉回路Ｈ内の塩素濃度を１．０ｐｐｍとすることにできた。
【００４３】
前記塩素濃度（１．０ｐｐｍ）は、水道水の殺菌可能な基準塩素濃度（０．１〜１．０ｐｐｍ）及びプール水の殺菌可能な基準塩素濃度（０．４ｐｐｍ以上）に基づいて設定されている。閉回路Ｈ内の温水Ｗが塩素濃度１．０ｐｐｍとなった場合、１０〜１５分後には閉回路Ｈ内のほとんどの雑菌が殺菌される。
【００４４】
図６に示すように、前記薬剤殺菌処理が終了すると、前記コントローラによって五方弁２０が切替わり、閉回路Ｈ内の殺菌剤溶液は加熱手段１２→殺菌槽１３→第二連結管１８→浄化槽１４→第三連結管１９→五方弁２０→第四連結管２１→中空糸膜槽１５→第五連結管２２→五方弁２０→排水管２３の流路で浴槽温水循環装置１０の外部に排出される。
【００４５】
従って、本実施形態によれば前述した第一実施形態における１〜４番目の効果に加えて、さらに以下の効果を得ることができる。
・閉回路Ｈ内の温水Ｗ中に、薬剤注入装置５０から次亜塩素酸ナトリウムを所定塩酸濃度となるように注入し、閉回路Ｈの配管内面を殺菌するようにした。このため、浴槽温水循環装置１０の殺菌手段（殺菌槽１３等）では殺菌が不可能な配管系に繁殖する雑菌も殺菌できる。
【００４６】
・殺菌剤として水道水やプール水の殺菌に使用される次亜塩素酸ナトリウムを用いた。このため、信頼性及び確実性の高い殺菌処理を行うことができる。
尚、前記各実施形態は以下のように変更して実施してもよい。
【００４７】
・前記各実施形態では、浄化槽１４を殺菌槽１３と五方弁２０との間に配置したが、浴槽Ｙとポンプ１１との間、ポンプ１１と加熱手段１２との間及び五方弁２０と三方弁２５との間のいずれに配置してもよい。このようにしても、浴槽温水循環装置１０を循環する温水Ｗの流量が充分確保でき、前記各実施形態と同様の効果を得ることができる。
【００４８】
・前記各実施形態では、コントローラによって各弁が自動切換されるように構成したが、装置使用者が手動で各弁を切換えてもよい。このようにしても、浴槽内の温水Ｗの浄化ができる。
【００４９】
・前記各実施形態における中空糸膜槽１５を砂濾過槽等に置き換えてもよい。
このようにしても、小さな固形物を濾過できる。
【００５０】
・前記第二実施形態では、殺菌剤として次亜塩素酸ナトリウムを使用したが、ジクロルイソシアヌル酸のアルカリ塩を溶融した液体や殺菌性のアルコール等を使用してもよい。このようにしても、閉回路Ｈの配管内面の殺菌ができる。
【００５１】
・前記第二実施形態では、薬剤注入装置５０を薬剤供給管５１を介してポンプ１１と加熱手段１２との間に連結したが、殺菌槽１３と浄化槽１４との間、浄化槽１４と五方弁２０との間、五方弁２０と三方弁２５との間のいずれの位置に連結してもよい。このようにしても、殺菌剤は閉回路Ｈ内に注入されて殺菌剤溶液となり、同閉回路Ｈ内を循環しながら配管内面を殺菌することができる。
【００５２】
【発明の効果】
請求項１に記載の発明によれば、温水及び装置自体の配管系の殺菌処理ができる。加えて、殺菌媒体の温水を高温化して熱殺菌することができる。また、殺菌処理後の熱水を問題なく浴槽へ戻すことができる。さらに、浴槽へ流出する熱水の流量を調節することができる。
【図面の簡単な説明】
【図１】通常浄化運転時の温水流路を示す浴槽温水循環装置の回路図。
【図２】精密濾過運転時の温水流路を示す浴槽温水循環装置の回路図。
【図３】逆洗運転時の温水流路を示す浴槽温水循環装置の回路図。
【図４】殺菌処理運転時の温水流路を示す浴槽温水循環装置の回路図。
【図５】薬剤殺菌時の殺菌剤溶液流路を示す浴槽温水循環装置の回路図。
【図６】薬剤殺菌終了後の殺菌剤溶液流路を示す浴槽温水循環装置の回路図。
【図７】（ａ）は、通常浄化運転及び精密濾過運転時の三方弁の連通状態を示す正面断面図。
（ｂ）は、通常浄化運転及び精密濾過運転時の三方弁の連通状態を示す平面断面図。
【図８】（ａ）は、熱殺菌運転時の三方弁の連通状態を示す正面断面図。
（ｂ）は、熱殺菌運転時の三方弁の連通状態を示す平面断面図。
【図９】（ａ）は、熱殺菌運転終了後の三方弁の連通状態を示す正面断面図。
（ｂ）は、熱殺菌運転終了後の三方弁の連通状態を示す平面断面図。
【符号の説明】
１０…浴槽温水循環装置、１１…ポンプ、１２…加熱手段、１３…殺菌槽、１４…浄化槽、１５…中空糸膜槽、１６…吸込管、２０…五方弁、２５…弁体（三方弁）、２６…吐出管、２７…連結管路（バイパス管）、Ｈ…閉回路、Ｗ…温水、Ｙ…浴槽。
【図１】
0003589848.tif 000002
【図２】
0003589848.tif 000003
【図３】
0003589848.tif 000004
【図４】
0003589848.tif 000005
【図５】
0003589848.tif 000006
【図６】
0003589848.tif 000007
【図７】
0003589848.tif 000008
【図８】
0003589848.tif 000009
【図９】
0003589848.tif 000010